【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
第１の外径を有する第１の把手部分と、
前記第１の外径と実質的に等しい第２の外径を有する第２の把手部分とを具備し、
前記第２の把手部分は、スイング動作中に前記第１の把手部分と前記第２の把手部分との間に相対回転を与えるように、前記第１の把手部分に回転可能に接続されており、
前記第１の把手部分と前記第２の把手部分との一方に取り付けられているか、一方と一体的であるバット胴部を具備するボールバット。
【請求項２】
前記第１の把手部分は、前記第２の把手部分にねじ接続部によって接続されている請求項１に記載のボールバット。
【請求項３】
前記第１の把手部分と前記第２の把手部分との一方はノブを有し、また、このボールバットは、前記ノブ内に配置された第１の軸受部材と、前記第１の把手部分と前記第２の把手部分との間に配置された第２の軸受部材とを更に具備する請求項１に記載のボールバット。
【請求項４】
前記第２の把手部分は、前記第２の外径より小さい第３の外径を有する減じられた径の領域を有し、前記減じられた径の領域は、前記第１の把手部分内に位置されている、請求項１に記載のボールバット。
【請求項５】
前記第１の把手部分の径方向内側面と前記減じられた径の領域の径方向外側面との間に位置された解除層をさらに具備し、前記解除層は、前記第１の把手部分と前記第２の把手部分との間の回転を容易にしている、請求項４に記載のボールバット。
【請求項６】
前記バット胴部を前記第２の把手部分に取り付けている先細り部分をさらに具備し、この先細り部分の径方向外側面は、前記第２の把手部分の径方向外側面、および前記バット胴部の径方向外側面と面一で連続している、請求項１に記載のボールバット。
【請求項７】
前記第１の把手部分および前記第２の把手部分の少なくとも一方に配置されたグリップをさらに具備する請求項１に記載のボールバット。
【請求項８】
前記グリップは、前記第１の把手部分に配置され、さらなるグリップが、前記第２の把手部分に配置されている請求項７に記載のボールバット。
【請求項９】
前記第１の把手部分は、前記第２の把手部分に、少なくとも１つの軸受部材によって回転可能に係合されている請求項１に記載のボールバット。
【請求項１０】
前記第１の把手部分の少なくとも一部は、前記第２の把手部分の少なくとも一部から少なくとも１つの解除層により分けられている請求項１に記載のボールバット。
【請求項１１】
前記第１の把手部分は、前記第２の把手部分に、少なくとも１つの軸受部材によって回転可能に係合されており、また、前記第１の把手部分の少なくとも一部は、前記第２の把手部分の少なくとも一部から少なくとも１つの解除層により分けられている請求項１に記載のボールバット。
【請求項１２】
前記第１の把手部分の一部は、前記第２の把手部分内に配置されており、また、前記第１の把手部分の前記一部は、前記第２の把手部分の内部領域と係合して、前記第２の把手部分に対する前記第１の把手部分の長手方向の移動を実質的に防止する少なくとも１つの径方向外向きの突起を有している、請求項１に記載のボールバット。
【請求項１３】
前記第１の把手部分の一部は、前記第２の把手部分内に配置され、また、前記第２の把手部分は、前記第１の把手部分の外部領域と係合して、前記第２の把手部分に対する前記第１の把手部分の長手方向の移動を実質的に防止する少なくとも１つの径方向内向きの突起を有している、請求項１に記載のボールバット。
【請求項１４】
前記第１の把手部分は、前記第２の把手部分にねじ接続部によって接続されており、また、前記第１の把手部分と、前記ねじ接続部との間に配置され、前記第１の把手部分と前記第２の把手部分との間の相対的な回転を助長しているブッシングをさらに具備する、請求項１に記載のボールバット。
【請求項１５】
前記ねじ接続部は、少なくとも１つの第１の開口を有し、前記第２の把手部分は、前記少なくとも１つの第１の開口とアラインメントされた少なくとも１つの第２の開口を有し、また、ピンが、前記第２の把手部分を前記ねじ接続部にさらに固定するために前記第１及び第２の開口内に位置されている、請求項１４に記載のボールバット。
【請求項１６】
第１の端部から第２の端部へと長手方向に延びた第１の把手部分と、
第３の端部から第４の端部へと長手方向に延びた第２の把手部分とを具備し、
この第２の把手部分の前記第３の端部は、スイング動作中に前記第１の把手部分と前記第２の把手部分との間に相対回転を与えるように、前記第１の把手部分の前記第２の端部に回転可能に係合しており、
前記第１の把手部分と前記第２の把手部分との一方に取り付けられているか、一方と一体的であるバット胴部を具備するボールバット。
【請求項１７】
前記第１の把手部分と前記第２の把手部分との間に配置され、これら把手部分間の回転を可能にする少なくとも１つの軸受部分をさらに具備する請求項１６に記載のボールバット。
【請求項１８】
前記第１の把手部分は、前記第２の把手部分にねじ接続部によって接続されている請求項１６に記載のボールバット。
【請求項１９】
前記ねじ接続部に係合する雌ねじを有する、前記第２の把手部分内の受入れ部材をさらに具備する請求項１８に記載のボールバット。
【請求項２０】
第１の外径を有する第１の把手部分と、
前記第１の外径と実質的に等しい第２の外径を有する第２の把手部分と、
前記第１の把手部分を前記第２の把手部分に回転可能に接続するための手段とを具備するスポーツ用品器具。
【手続補正２】
【補正対象書類名】明細書
【補正対象項目名】００４２
【補正方法】変更
【補正の内容】
【００４２】
先に記載した実施形態のいずれも、単独で、または、互いと組み合わせて用いられてよく、特定の実施形態の部材は、他の実施形態の部材と置き換えられてもよい。例えば、適用可能である場合、軸受がブッシングの代わりに用いられてもよく、その逆も可能であるし、ピンが追加または省略されてもよいなどである。さらに、スポーツ用品器具は、本明細書に記載されていない追加の特徴を含んでもよい。いくつかの実施形態が示されて説明されたが、様々な変更および代用は、当然ながら、本発明の精神および範囲から逸脱することなく行われ得る。そのため、本発明は、以下の請求項およびそれらの等価物によることを除いて、限定されるべきではない。
出願当初の特許請求の範囲に記載された事項をそのまま以下に付記する。
［１］第１の外径を有する第１の把手部分と、前記第１の外径と実質的に等しい第２の外径を有し、前記第１の把手部分に回転可能に接続された第２の把手部分と、前記第１の把手部分と前記第２の把手部分との一方に取り付けられているか、一方と一体的であるバット胴部とを具備するボールバット。
［２］前記第１の把手部分は、前記第２の把手部分にねじ接続部によって接続されている［１］に記載のボールバット。
［３］前記第１の把手部分と第２の把手部分との一方はノブを有し、また、このボールバットは、前記ノブ内に配置された第１の軸受部材と、前記第１の把手部分と第２の把手部分との間に配置された第２の軸受部材とを更に具備する［１］に記載のボールバット。
［４］前記第２の把手部分は、前記第２の外径より小さい第３の外径を有する減じられた径の領域を有し、前記減じられた径の領域は、前記第１の把手部分内に位置されている、［１］に記載のボールバット。
［５］前記第１の把手部分の径方向内側面と減じられた径の領域の径方向外側面との間に位置された解除層とをさらに具備し、この減じられた径の領域は、前記第１の把手部分と第２の把手部分との間の回転を容易にしている、［４］に記載のボールバット。
［６］前記バット胴部を第２の把手部分に取り付けている先細り部分をさらに具備し、この先細り部分の径方向外側面は、前記第２の把手部分の径方向外側面、およびバット胴部の径方向外側面と面一で連続している、［１］に記載のボールバット。
［７］前記第１および第２の把手部分の少なくとも一方に配置されたグリップをさらに具備する［１］に記載のボールバット。
［８］第１のグリップが、前記第１の把手部分に配置され、また、第２のグリップが、前記第２の把手部分に配置されている［７］に記載のボールバット。
［９］前記第１の把手部分は、第２の把手部分に、少なくとも１つの軸受部材によって回転可能に係合されている［１］に記載のボールバット。
［１０］前記第１の把手部分の少なくとも一部は、少なくとも前記第２の把手部分の一部から少なくとも１つの解除層により分けられている［１］に記載のボールバット。
［１１］前記第１の把手部分は、前記第２の把手部分に、少なくとも１つの軸受部材によって回転可能に係合されており、また、少なくとも第１の把手部分の一部は、少なくとも前記第２の把手部分の一部から少なくとも１つの解除層により分けられている［１］に記載のボールバット。
［１２］前記第１の把手部分の一部は、前記第２の把手部分内に配置されており、また、前記第１の把手部分の前記一部は、前記第１の把手部分の内部領域と係合して、第２の把手部分に対する第１の把手部分の長手方向の移動を実質的に防止する少なくとも１つの突起を有している、［１］に記載のボールバット。
［１３］前記第１の把手部分の一部は、前記第２の把手部分内に配置され、また、第２の把手部分は、前記第１の把手部分の外部領域と係合して、第２の把手部分に対する第１の把手部分の長手方向の移動を実質的に防止する少なくとも１つの径方向内方への突起を有している、［１］に記載のボールバット。
［１４］前記第１の把手部分は、前記第２の把手部分にねじ接続部によって接続されており、また、前記第１の把手部分と、前記ねじ接続部との間に配置され、第１の把手部分と第２の把手部分との間の相対的な回転を助長しているブッシングをさらに具備する、［１］に記載のボールバット。
［１５］前記ねじ接続部は、少なくとも１つの第１の開口を有し、前記第２の把手部分は、前記第１の開口とアラインメントされた少なくとも１つの第２の開口を有し、また、ピンが、第２の把手部分をねじ接続部に固定させるように前記第１及び第２の開口内に位置されている、［１４］に記載のボールバット。
［１６］第１の端部から第２の端部へと長手方向に延びた第１の把手部分と、第３の端部から第４の端部へと長手方向延びた第２の把手部分とを具備し、この第２の把手部分の前記第３の端部は、前記第１の把手部分の第２の端部に回転可能に係合しているスポーツ用品器具。
［１７］前記第１の把手部分と第２の把手部分とは、ラクロス軸部の少なくとも一部を構成している［１６］に記載のスポーツ用品器具。
［１８］前記第１の把手部分と第２の把手部分との間に配置され、これら把手部分間の回転を可能にする少なくとも１つの軸受部分をさらに具備する［１６］に記載のスポーツ用品器具。
［１９］前記第１の把手部分は、前記第２の把手部分に、ねじ接続部により接続されている［１６］に記載のスポーツ用品器具。
［２０］前記ねじ接続部に係合する雌ねじを有する、前記第２の把手部分内の受入れ部材をさらに具備する［１９］に記載のスポーツ用品器具。
［２１］第１の外径を有する第１の把手部分と、前記第１の外径と実質的に等しい第２の外径を有する第２の把手部分と、前記第１の把手部分を前記第２の把手部分に回転可能に接続するための手段とを具備するスポーツ用品器具。